(57)【要約】  本発明は、レーダ画像における虚像のみを抑圧できるレーダ画像処理装置を得ることを目的とする。  本発明のレーダ画像処理装置（１）は、レーダ画像を入力して、レーダ画像の焦点を変更するリフォーカス部（１０）と、前記リフォーカス部によって焦点が変更されたレーダ画像から、虚像が含まれる画素を判定する虚像判定部（１１）と、前記リフォーカス部によって焦点が変更されたレーダ画像上で前記虚像判定部によって虚像が含まれると判定された画素の値を変更する虚像抑圧部（１２）とを備えたことを特徴とする。  本発明のレーダ画像処理装置（１）は、合成開口レーダ（ＳＡＲ）に利用可能である。
2019176016.tif 000002
【特許請求の範囲】
【請求項１】
レーダ画像を入力して、レーダ画像の焦点を変更するリフォーカス部と、  前記リフォーカス部によって焦点が変更されたレーダ画像から、虚像が含まれる画素を判定する虚像判定部と、  前記リフォーカス部によって焦点が変更されたレーダ画像上で前記虚像判定部によって虚像が含まれると判定された画素の値を変更する虚像抑圧部とを備えたこと  を特徴とするレーダ画像処理装置。
【請求項２】
前記リフォーカス部は、レーダ画像を時間領域からドップラー周波数領域の信号に変換し、ドップラー周波数領域の信号の位相の補正量がドップラー周波数方向に比例する成分を持たないように、レーダ画像の焦点を変更すること  を特徴とする請求項１記載のレーダ画像処理装置。
【請求項３】
レーダ画像における画素の振幅を規格化する規格化部を備えたこと  を特徴とする請求項１記載のレーダ画像処理装置。
【請求項４】
レーダ画像に含まれる画素のそれぞれで一定の距離だけ離れた画素の位相を減算して、位相を減算した画素の移動平均を施した画像を生成する移動平均部を備えたこと  を特徴とする請求項１記載のレーダ画像処理装置。
【請求項５】
前記リフォーカス部は、レーダ画像を複数の焦点に変更し、  前記虚像判定部は、複数の焦点のそれぞれに変更されたレーダ画像における画素の値の変化に基づいて、虚像が含まれる画素を判定すること  を特徴とする請求項１記載のレーダ画像処理装置。
【請求項６】
前記リフォーカス部は、複数の焦点のレーダ画像に変更し、  前記虚像判定部は、複数の焦点のそれぞれに変更されたレーダ画像における画素の値の変化に基づいて虚像のぼけが緩和される焦点に関する情報を特定し、特定した焦点に関する情報に基づいて虚像が含まれる画素を判定すること  を特徴とする請求項１記載のレーダ画像処理装置。
【請求項７】
前記虚像判定部は、前記リフォーカス部によって焦点が変更されたレーダ画像のうち、レーダ画像の自己相関に基づいて虚像が含まれるレーダ画像を判定すること  を特徴とする請求項１記載のレーダ画像処理装置。
【請求項８】
リフォーカス処理、虚像判定処理および虚像抑圧処理の反復の終了を判定する反復判定部を備えたこと  を特徴とする請求項１記載のレーダ画像処理装置。
【請求項９】
前記虚像判定部によって特定された焦点に関する情報の修正操作を受け付け、受け付けた修正操作に基づいて虚像のぼけが緩和される焦点に関する情報を修正する第１の修正部を備え、  前記虚像判定部は、前記第１の修正部によって修正された焦点に関する情報に基づいて虚像のぼけが緩和されたレーダ画像から虚像が含まれる画素を判定すること  を特徴とする請求項６記載のレーダ画像処理装置。
【請求項１０】
前記虚像判定部による虚像が含まれる画素の判定結果の修正操作を受け付け、受け付けた修正操作に基づいて、虚像が含まれる画素の判定結果を修正する第２の修正部を備え、  前記虚像抑圧部は、前記第２の修正部によって修正された判定結果で虚像が含まれると判定された画素の値を変更して虚像を抑圧すること  を特徴とする請求項１記載のレーダ画像処理装置。
【請求項１１】
前記虚像判定部は、虚像が含まれると判定した画素の分布に基づいて画素の雑音を特定し、特定した画素については虚像が含まれるものと判定を変更すること  を特徴とする請求項１記載のレーダ画像処理装置。
【請求項１２】
リフォーカス部が、レーダ画像を入力して、レーダ画像の焦点を変更するステップと、  虚像判定部が、前記リフォーカス部によって焦点が変更されたレーダ画像から、虚像を含む画素を判定するステップと、  虚像抑圧部が、前記リフォーカス部によって焦点が変更されたレーダ画像上で前記虚像判定部によって虚像が含まれると判定された画素の値を変更するステップとを備えたこと  を特徴とするレーダ画像処理方法。
【発明の詳細な説明】
【技術分野】
【０００１】  この発明は、レーダ画像中の虚像を抑圧するレーダ画像処理装置およびレーダ画像処理方法に関する。
【背景技術】
【０００２】  合成開口レーダ（以下、ＳＡＲと記載する）では、観測対象の領域で反射された電波の受信信号に基づいて、観測対象の領域に関するレーダ画像が得られる。電波は、例えば、航空機、人工衛星もしくは車両といった移動体から、観測対象の領域に照射される。レーダ画像には、レーダから観測対象の領域までの直線方向に沿ったレンジ軸と移動体の進行方向あるいはレンジ軸に直交する方向に沿ったアジマス軸との二軸がある。レーダ画像の画素は、観測対象の領域からの反射波を示す複素数を有している。【０００３】  レーダ画像をアジマス軸の方向にフーリエ変換して周波数表現すると、ドップラー周波数の軸の要素が得られる。なお、観測対象からの反射波の受信信号に基づいてレーダ画像を得る信号処理は“画像再生”と呼ばれている。画像再生では、電波の照射範囲の一部を画像化の範囲として、この範囲が結像するように焦点を合わせて処理が行われる。この画像化の範囲が観測対象の領域である。【０００４】  画像再生後のレーダ画像を信号処理することで、レーダ画像の焦点を変えることも可能である。モノスタティック観測の場合、一般的な画像化の範囲では、レーダに受信された電波のドップラー周波数がパルス繰り返し周波数（以下、ＰＲＦと記載する）以下であり、かつ、パルスが送信されて受信されるまでの時間が、反射波の受信信号のアナログデジタル変換に要する時間範囲（レンジゲート）内である。なお、ＰＲＦは、パルスが送信されてから受信されるまでの周期に基づいて決定される。【０００５】  ＳＡＲでは、電波を送受信するアンテナの指向性を利用してメインビームの範囲が画像化の範囲になるように設計される場合が多い。しかしながら、アンテナは、指向性があるものの、ほぼ全方位で電波を送受信しているため、画像化の範囲外に存在する物体からの反射波も受信してしまう。【０００６】  画像化の範囲外に存在する物体からの反射波の信号は、この信号のドップラー周波数がＰＲＦを超えてエイリアシングが生じて画像化の範囲内の信号と重なることがある。これは、アジマスアンビギュイティと呼ばれる。また、レーダからみて画像化の範囲から遠い物体もしくは画像化の範囲よりも近い物体からの信号は、受信時刻がレーダのパルス繰り返し周期の整数倍だけずれた信号と区別できず、画像化の範囲内の信号と重なることがある。これは、多次エコーもしくはレンジアンビギュイティと呼ばれる。画像化の範囲外に存在する物体からの反射波に起因した虚像は、画像化の範囲に焦点を合わせて画像再生しても結像せずにぼけた状態となり、画像化の範囲内で結像した真の像と重なってしまう。【０００７】  例えば、特許文献１に記載された装置では、レーダ画像中の目標をアンビギュイティと仮定し、さらに目標の存在する位置を仮定して、仮定した位置に基づいてレーダ画像をアジマス圧縮する。アジマス圧縮した画像データにおける目標の振幅が閾値よりも高い場合、上記装置は、目標が仮定した位置に生じたアンビギュイティであると判定する。上記装置は、仮定する位置を変化させて上記処理を繰り返すことで、目標がアンビギュイティであるか否かを判定し、アンビギュイティと判定した目標の振幅値を０または目標周囲にある画素の振幅の平均値に置き換えて、アンビギュイティを抑圧している。
【先行技術文献】
【特許文献】
【０００８】
【特許文献１】特開２００８−２６１７２０号公報
【発明の概要】
【発明が解決しようとする課題】
【０００９】  特許文献１に記載された装置は、観測対象の領域に焦点が合ったレーダ画像に含まれる虚像（アンビギュイティ）を抑圧するので、ぼけて広がっている虚像が含まれる画素の値が０または周囲にある画素の値の平均値に置き換えられる。  一方、観測対象の領域内に存在する物体の像（以下、真の像と記載する）と上記虚像とが重なっており、かつ観測対象の領域に焦点が合ったレーダ画像において、虚像の信号はぼけて広がっているが、真の像の信号は、結像して狭い範囲に集中している。  このため、特許文献１に記載された装置では、虚像が含まれる画素の値を変更すると、虚像と重なった真の像の信号の多くが影響を受けて、真の像まで抑圧されるという課題があった。【００１０】  この発明は上記課題を解決するものであり、レーダ画像における虚像のみを抑圧できるレーダ画像処理装置およびレーダ画像処理方法を得ることを目的とする。
【課題を解決するための手段】
【００１１】  この発明に係るレーダ画像処理装置は、リフォーカス部、虚像判定部および虚像抑圧部を備えて構成される。リフォーカス部は、レーダ画像を入力し、レーダ画像の焦点を変更する。虚像判定部は、リフォーカス部によって焦点が変更されたレーダ画像から、虚像が含まれる画素を判定する。虚像抑圧部は、リフォーカス部によって焦点が変更されたレーダ画像上で虚像判定部によって虚像が含まれると判定された画素の値を変更する。
【発明の効果】
【００１２】  この発明によれば、レーダ画像処理装置が、レーダ画像の焦点を変更したレーダ画像上で虚像が含まれる画素の判定と虚像が含まれると判定した画素の値の変更とを行う。これにより、レーダ画像処理装置は、レーダ画像における虚像のみを抑圧することができる。
【図面の簡単な説明】
【００１３】
【図１】この発明の実施の形態１に係るレーダ画像処理装置の構成を示すブロック図である。
【図２】実施の形態１に係るレーダ画像処理方法を示すフローチャートである。
【図３】実施の形態１におけるレーダ画像の焦点変更の概要を示す図である。
【図４】実施の形態１に係るレーダ画像処理方法の詳細を示すフローチャートである。
【図５】実施の形態１における画素の振幅の規格化および折り返し数の推定処理を示すフローチャートである。
【図６】評価指標と折り返し数との関係を示す図である。
【図７】実施の形態１における虚像判定処理を示すフローチャートである。
【図８】この発明の実施の形態２に係るレーダ画像処理装置の構成を示すブロック図である。
【図９】実施の形態２に係るレーダ画像処理方法の詳細を示すフローチャートである。
【図１０】図１０Ａは、実施の形態１または実施の形態２に係るレーダ画像処理装置の機能を実現するハードウェア構成を示すブロック図である。図１０Ｂは、実施の形態１または実施の形態２に係るレーダ画像処理装置の機能を実現するソフトウェアを実行するハードウェア構成を示すブロック図である。
【発明を実施するための形態】
【００１４】  以下、この発明をより詳細に説明するため、この発明を実施するための形態について、添付の図面に従って説明する。実施の形態１．  図１は、この発明の実施の形態１に係るレーダ画像処理装置１の構成を示すブロック図である。レーダ画像処理装置１は、第１の格納部２から入力したレーダ画像に含まれる虚像を抑圧し、虚像を抑圧したレーダ画像を第２の格納部３に格納する。なお、レーダ画像は、画像再生後の画像であり、この画像を信号処理して焦点を変えることが可能である。レーダ画像の本来の画像化の範囲は観測対象の領域であるが、焦点を変更することにより本来の画像化の範囲外で結像するレーダ画像が得られる。図１に示す例では、レーダ画像処理装置１が、リフォーカス部１０、虚像判定部１１、虚像抑圧部１２、規格化部１３、移動平均部１４、推定部１５および反復判定部１６を備えて構成される。
【００１５】  第１の格納部２は、レーダ画像を格納する。図示を省略したレーダが、観測対象の領域に向けて電波を照射し、観測対象の領域で反射された電波を受信する。上記レーダは、電波の受信信号に基づいて観測対象の領域のレーダ画像を生成する。  なお、観測対象の領域で反射された電波に対して観測対象の領域外にある物体で反射された電波が混入すると、レーダ画像には、観測対象の領域外にある物体からの反射波に起因した虚像が生じる。
【００１６】  第１の格納部２には、前述した虚像を生じたレーダ画像も格納されている。また、第１の格納部２には、リフォーカス部１０によって焦点が変更されたレーダ画像、または虚像抑圧部１２の処理対象である虚像のぼけが緩和されたレーダ画像が格納される。  第１の格納部２に格納されているレーダ画像の画素は、画素値が複素数になっている。
【００１７】  第２の格納部３には、レーダ画像処理装置１によって虚像が抑圧されて本来の画像化の範囲に焦点が合ったレーダ画像が格納される。以下、第２の格納部３に格納されるレーダ画像を、虚像抑圧後のレーダ画像と記載する。
【００１８】  リフォーカス部１０は、第１の格納部２からレーダ画像を入力し、レーダ画像の焦点を変更する。例えば、リフォーカス部１０は、本来の画像化の範囲に焦点が合ったレーダ画像の焦点を変更することによって、本来の画像化の範囲外に焦点を合わせたレーダ画像を生成する。本来の画像化の範囲に焦点が合ったレーダ画像では、この範囲が結像するが、虚像はぼけている。一方、本来の画像化の範囲外に焦点が合ったレーダ画像では、本来の画像化の範囲で結像していた像はぼける。
【００１９】  虚像判定部１１は、リフォーカス部１０によって焦点が変更されたレーダ画像から、虚像が含まれる画素を判定する。虚像が含まれると判定された画素の位置情報およびレーダ画像は、虚像判定部１１から虚像抑圧部１２に出力される。画素の位置情報は、例えば、レーダ画像上の画素の位置座標である。虚像判定部１１は、推定部１５から入力した折り返し数の推定値に基づいてレーダ画像中の虚像の有無を判定する。詳細は後述する。また、虚像判定部１１は、虚像が含まれる画素の判定回数を反復判定部１６に出力する。
【００２０】  虚像抑圧部１２は、リフォーカス部１０によって焦点が変更されたレーダ画像上で、虚像判定部１１によって虚像が含まれると判定された画素の値を変更する。例えば、虚像抑圧部１２は、虚像が含まれる画素の値を０に置き換える。これにより、虚像が含まれる画素が抑圧される。ただし、虚像が含まれる画素を抑圧できれば、画素の値に１以下の実数を乗じてもよく、周囲の画素の値の平均値に置き換えてもよい。一方で、虚像が含まれると判定された画素がない場合には変更されない。
【００２１】  規格化部１３は、第１の格納部２から入力したレーダ画像における画素の振幅を規格化する。例えば、規格化部１３は、画素の振幅を一定値Ａに置き換える。Ａは０以外の実数である。
【００２２】  移動平均部１４は、リフォーカス部１０によって焦点が変更されたレーダ画像を入力して、入力したレーダ画像における画素の移動平均を施した画像を生成する。例えば、移動平均部１４は、入力したレーダ画像に含まれる画素のそれぞれでアジマス方向に一定の距離（δａ画素分）だけ離れた画素の位相同士を減算し、位相減算後の画素の複素数の値を移動平均したレーダ画像を生成する。
【００２３】  推定部１５は、移動平均部１４によって生成された上記画像に基づいて、虚像のぼけが緩和される折り返し数を推定する。なお、折り返し数には、アジマスアンビギュイティのエイリアシングの度合いを示す折り返し数と、レンジアンビギュイティの受信時刻のずれとなるレーダのパルス繰り返し周期の倍数とが含まれる。以下、受信時刻のレーダのパルス繰り返し周期の整数倍のずれをＭとし、エイリアシングの度合いを示す折り返し数をＮとする。
【００２４】  反復判定部１６は、虚像抑圧部１２による虚像抑圧処理の反復の終了を判定する。  例えば、反復判定部１６は、虚像判定部１１から入力した反復回数が上限値に達したか否かを判定し、この判定結果をリフォーカス部１０に通知する。リフォーカス部１０は、反復回数が上限値に達したという判定結果を受けると、虚像が抑圧され、本来の画像化の範囲に焦点を合わせたレーダ画像（虚像抑圧後のレーダ画像）を、第２の格納部３に格納する。
【００２５】  なお、レーダ画像処理装置１は、リフォーカス部１０、虚像判定部１１および虚像抑圧部１２を備えていればよく、これら以外の構成要素は、レーダ画像処理装置１とは別の装置が備えてもよい。例えば、規格化部１３、移動平均部１４、推定部１５および反復判定部１６は、レーダ画像処理装置１との間で情報のやり取りが可能な別の装置が備える構成要素であってもよい。
【００２６】  次に動作について説明する。  図２は、実施の形態１に係るレーダ画像処理方法を示すフローチャートである。  リフォーカス部１０が、第１の格納部２からレーダ画像を入力し、入力したレーダ画像の焦点を変更する（ステップＳＴ１）。ここで、リフォーカス部１０は、本来の画像化の範囲に焦点が合ったレーダ画像の焦点を変更することによって、本来の画像化の範囲外に焦点を合わせたレーダ画像を生成する。
【００２７】  図３はレーダ画像の焦点変更の概要を示す図である。図３に示すレーダ画像２０Ａは、本来の画像化の範囲に焦点が合った画像である。像３０ａおよび像３０ｂは、観測対象の物体の像、すなわち、真の像である。また、真の像３０ｂは、虚像４０と重なっている。レーダ画像２０Ａは、本来の画像化の範囲に焦点が合っているので、像３０ａと像３０ｂは結像している。このため、像３０ａの信号と像３０ｂの信号は、レーダ画像２０Ａ上の狭い領域に集中している。一方、レーダ画像２０Ａ上で虚像４０はぼけており、虚像４０の信号は、像３０ｂを含む領域に広がっている。
【００２８】  リフォーカス部１０は、本来の画像化の範囲に焦点が合ったレーダ画像２０Ａを、本来の画像化の範囲外に焦点が合ったレーダ画像２０Ｂを変更する。虚像に焦点が合った場合は、虚像４０が結像して、虚像４０の信号は狭い範囲に集中する。一方、像３０ａおよび像３０ｂはぼけており、像３０ａの信号および像３０ｂの信号は、レーダ画像２０Ｂ上で広がっている。
【００２９】  図２の説明に戻る。  虚像判定部１１は、リフォーカス部１０によって焦点が変更されたレーダ画像から虚像が含まれる画素を判定する（ステップＳＴ２）。  例えば、虚像判定部１１は、図３に示したレーダ画像２０Ｂ上で、狭い範囲に結像した虚像４０が含まれる画素を判定し、虚像４０が含まれると判定した画素の位置情報およびレーダ画像２０Ｂを虚像抑圧部１２に出力する。
【００３０】  次に、虚像抑圧部１２は、リフォーカス部１０によって焦点が変更されたレーダ画像上で、虚像判定部１１によって虚像が含まれると判定された画素の値を変更する（ステップＳＴ３）。例えば、虚像抑圧部１２は、虚像判定部１１から入力した画素の位置情報に基づいて、レーダ画像２０Ｂ上の虚像４０が含まれる画素を特定し、特定した画素の値を変更する。
【００３１】  レーダ画像２０Ｂでは、前述したように、虚像４０の信号が狭い範囲に集まり、真の像である像３０ａおよび像３０ｂは、ぼけて広がっている。このように狭い範囲に集中している虚像４０が含まれる画素の値を変更しても、虚像４０と重なっている像３０ｂの信号の多くは影響を受けず、虚像４０のみが抑圧される。
【００３２】  次に、実施の形態１に係るレーダ画像処理方法の詳細を説明する。  図４は、実施の形態１に係るレーダ画像処理方法の詳細を示すフローチャートである。図４において、ステップＳＴ１ａからステップＳＴ２ａまでの処理は、図２のステップＳＴ１の詳細な処理であり、ステップＳＴ３ａからステップＳＴ４ａまでの処理は、図２のステップＳＴ２の詳細な処理を示している。ステップＳＴ５ａからステップＳＴ７ａまでの処理は、図２のステップＳＴ３の詳細な処理を示している。
【００３３】  ステップＳＴ１ａにおいて、規格化部１３が、第１の格納部２から入力したレーダ画像における画素の振幅を規格化し、推定部１５が、移動平均部１４によって生成された画像に基づいて、虚像のぼけが緩和される折り返し数の推定値Ｍ０，Ｎ０を求める。
【００３４】  図５は、実施の形態１における画素の振幅の規格化および折り返し数の推定処理を示すフローチャートであり、図４のステップＳＴ１ａの詳細な処理を示している。  規格化部１３は、レーダ画像上の全ての画素の振幅を一定値Ａに規格化する（ステップＳＴ１ｂ）。Ａは０以外の実数である。規格化によって、レーダ画像上の画素の振幅分布が変わるが、画素の位相分布は変わらない。この処理によって、虚像のぼけが緩和されるようにレーダ画像の焦点を変更した後、虚像の結像度合いを評価するときにレーダ画像上の画素の振幅分布に影響されない正確な評価が可能となる。
【００３５】  リフォーカス部１０は、規格化部１３によって画素の振幅が規格化され、本来の画像化の範囲に焦点が合ったレーダ画像を、折り返し数の候補Ｍ，Ｎに対応した画像化の範囲に焦点が合った画像に変更する（ステップＳＴ２ｂ）。折り返し数の候補Ｍ，Ｎは、推定部１５によって求められ、虚像判定部１１によってリフォーカス部１０に設定される。
【００３６】  Ｍ＝０かつＮ＝０であるときは虚像の信号の折り返しはないため、Ｍ＝０かつＮ＝０に対応した画像化の範囲に焦点が合ったレーダ画像は、本来の画像化の範囲に焦点が合ったレーダ画像である。リフォーカス部１０は、虚像判定部１１によって設定された折り返し数の候補Ｍ，Ｎの値を変えて、Ｍ，Ｎに対応した画像化の範囲に焦点が合った画像を順次生成する。ここで、ＭとＮの両方の値を変えてもよいが、例えば、Ｍの値を０に固定してＮの値のみを変えてもよく、Ｎの値を０に固定してＭの値のみを変えてもよい。
【００３７】  折り返し数の候補Ｍ，Ｎに対応した画像化の範囲に焦点が合ったレーダ画像では、図３に示したように、虚像のぼけが緩和されて、ぼけて広がっていた虚像の信号は狭い範囲に集中している。なお、リフォーカス部１０は、虚像のぼけが緩和される焦点に変更すればよく、完全にぼけがなくなり理想的なレーダ画像の点像応答とする必要はない。  また、本来の画像化の範囲に焦点が合ったレーダ画像で結像していた像は、焦点が変更されたことで、ぼけて広がった状態となる。
【００３８】  リフォーカス部１０は、規格化部１３によって画素の振幅が規格化されたレーダ画像をアジマス方向にフーリエ変換して、レンジドップラー周波数領域の信号に変換する。  レーダが搭載された移動体が速さＶｒで等速直線運動しているときに、本来の画像化の範囲内にある観測対象と上記レーダとの間の距離Ｒｔ（Ｒ０，ｆη）は、下記の参考文献に記載されるように、下記式（１）から導くことができる。ただし、Ｒ０は、上記レーダと電波の反射体とが最も接近したときの距離である。λは電波の波長、ｆηは電波の信号のドップラー周波数である。  Ｒｔ（Ｒ０，ｆη）＝Ｒ０／｛１−λ２ｆη２／（４Ｖｒ）｝１／２    ・・・（１）（参考文献）Ｉ．  Ｇ．  Ｃｕｍｍｉｎｇ、Ｆ．  Ｈ．  Ｗｏｎｇ，“Ｄｉｇｉｔａｌ  ｐｒｏｃｅｓｓｉｎｇ  ｏｆ  ｓｙｎｔｈｅｔｉｃ  ａｐｅｒｔｕｒｅ  ｒａｄａｒ”，  Ａｒｔｅｃｈ  Ｈｏｕｓｅ，２００５．
【００３９】  本来の画像化の範囲外にある物体と上記レーダとの距離Ｒａ（Ｒ０，ｆη，Ｍ，Ｎ）は、折り返し数の候補をＭ，Ｎとすると、下記式（２）から導くことができる。ただし、ｃは光速であり、ｆＰＲＦは、上記レーダにおける電波のパルス繰り返し周波数（ＰＲＦ）である。また、θＮは、下記式（３）から求められる値である。  Ｒａ（Ｒ０，ｆη，Ｍ，Ｎ）＝｛Ｒ０＋ｃＭ／（２ｆＰＲＦ）｝ｃｏｓ（θＮ）／｛１−λ２ｆη２／（４Ｖｒ）｝１／２・・・（２）  θＮ＝ｓｉｎ−１｛λＮｆＰＲＦ／（２Ｖｒ）｝      ・・・（３）
【００４０】  本来の画像化の範囲に焦点が合ったレーダ画像は、Ｒｔ（Ｒ０，ｆη）に応じた距離変化と位相変化とに基づいて補正される。また、本来の画像化の範囲外に焦点が合ったレーダ画像は、Ｒａ（Ｒ０，ｆη，Ｎ，Ｍ）−Ｒｔ（Ｒ０，ｆη）に応じた距離変化と位相変化とに基づいて補正する必要がある。本来の画像化の範囲外に合った焦点は、折り返し数の候補Ｍ，Ｎを想定してＲａ（Ｒ０，ｆη，Ｎ，Ｍ）−Ｒｔ（Ｒ０，ｆη）を算出し、算出した距離と位相を補正して求めることができる。
【００４１】  本来の画像化の範囲に焦点が合ったレーダ画像は、Ｍ＝０かつＮ＝０であることから、Ｒｔ（Ｒ０，ｆη）＝Ｒａ（Ｒ０，ｆη，０，０）となる。このため、リフォーカス部１０による焦点の変更処理は、折り返し数の候補Ｍ’，Ｎ’に対応した画像化の範囲に焦点が合ったレーダ画像から、折り返し数の候補ＭおよびＮに応じた画像化の範囲に焦点が合ったレーダ画像への焦点の変更処理と考えることができる。
【００４２】  リフォーカス部１０による焦点の変更処理において、上記レーダと本来の画像化の範囲外にある物体との間の距離の補正量ΔＲ（Ｒ０，ｆη，Ｎ，Ｍ，Ｎ’，Ｍ’）は、下記式（４）の関係を有する。  ΔＲ（Ｒ０，ｆη，Ｎ，Ｍ，Ｎ’，Ｍ’）  ＝Ｒａ（Ｒ０，ｆη，Ｎ，Ｍ）−Ｒａ（Ｒ０，ｆη，Ｎ’，Ｍ’）      ・・・（４）
【００４３】  上記距離の補正では、フーリエ変換されたレーダ画像の信号が、ドップラー周波数ｆηごとに、補正量ΔＲ（Ｒ０，ｆη，Ｎ，Ｍ，Ｎ’，Ｍ’）に応じてシフトされる。  シフトの方法は、補間または内挿によるシフトでもよい。また、レーダ画像を、レンジ方向にフーリエ変換した後に、補正量ΔＲ（Ｒ０，ｆη，Ｎ，Ｍ，Ｎ’，Ｍ’）に応じた線形の位相を乗じてから、レンジ方向に逆フーリエ変換してもよい。
【００４４】  焦点の変更処理において、位相の補正は下記の手順で行われる。  リフォーカス部１０は、補正量ΔＲ（Ｒ０，ｆη，Ｎ，Ｍ，Ｎ’，Ｍ’）を、Ｒ０ごとにドップラー周波数ｆηの一次関数でフィッティングする。フィッティングした一次関数をｆ（Ｒ０，ｆη，Ｎ，Ｍ，Ｎ’，Ｍ’）とした場合、位相の補正量φ（Ｒ０，ｆη，Ｎ，Ｍ，Ｎ’，Ｍ’）は、下記式（５）から求めることができる。  φ（Ｒ０，ｆη，Ｎ，Ｍ，Ｎ’，Ｍ’）  ＝（４π／λ）｛ΔＲ（Ｒ０，ｆη，Ｎ，Ｍ，Ｎ’，Ｍ’）−ｆ（Ｒ０，ｆη，Ｎ，Ｍ，Ｎ’，Ｍ’）｝          ・・・（５）
【００４５】  位相の補正量φ（Ｒ０，ｆη，Ｎ，Ｍ，Ｎ’，Ｍ’）がドップラー周波数ｆηに比例した位相ｆ（Ｒ０，ｆη，Ｎ，Ｍ，Ｎ’，Ｍ’）を含むと、位相が補正された後に逆フーリエ変換した画像は、移動体の移動方向（アジマス方向）にシフトする。このシフトが生じないように、位相の補正量φ（Ｒ０，ｆη，Ｎ，Ｍ，Ｎ’，Ｍ’）から、線形の位相成分が除かれる。ｅｘｐ［−ｊφ（Ｒ０，ｆη，Ｎ，Ｍ，Ｎ’，Ｍ’）］をレンジドップラー周波数領域の信号に乗じることで、当該信号の位相は補正される。このように、リフォーカス部１０は、レーダ画像をアジマス方向にフーリエ変換して得られたドップラー周波数領域の信号についての位相の補正量φ（Ｒ０，ｆη，Ｎ，Ｍ，Ｎ’，Ｍ’）がドップラー周波数方向に比例する上記位相成分を持たないように、レーダ画像の焦点を変更する。
【００４６】  リフォーカス部１０が、距離と位相を補正した信号をレンジ方向に逆フーリエ変換することで、折り返し数の候補Ｍ，Ｎに対応した画像化の範囲で結像するレーダ画像を得る。なお、これまで説明した焦点の変更処理は一例であって、オートフォーカスで焦点を変更してもよい。焦点の変更処理において、位相の補正量φ（Ｒ０，ｆη，Ｎ，Ｍ，Ｎ’，Ｎ’）の値が小さい場合、位相の補正処理を省略してもよい。距離Ｒｔ（Ｒ０，ｆη）は、上記式（１）以外で算出してもよい。
【００４７】  焦点の変更処理において、本来の画像化の範囲に焦点が合ったレーダ画像は、折り返し数の候補Ｍ’≠０およびＮ’≠０でＭ＝０およびＮ＝０となる。本来の画像化の範囲外に焦点が合ったレーダ画像は、折り返し数の候補Ｍ’＝０およびＮ’＝０で、Ｍ≠０およびＮ≠０となる。
【００４８】  移動平均部１４は、規格化部１３によって画素の振幅が規格化されて、前述した手順でリフォーカス部１０によって焦点が変更されたレーダ画像を入力し、入力したレーダ画像の画素の移動平均を施した画像を生成する（ステップＳＴ３ｂ）。この移動平均により、焦点が変更されたレーダ画像から雑音が除かれる。
【００４９】  まず、移動平均部１４は、移動平均を算出する前に、リフォーカス部１０によって焦点が変更されたレーダ画像のそれぞれの画素の位相からアジマス方向にδａ画素だけ離れた画素の位相を減算する。δａは０以外の実数である。この処理は、レーダ画像上の画素の位相をアジマス方向に微分することに相当する。移動平均部１４は、アジマス方向に微分された画素の移動平均を施したレーダ画像を生成する。
【００５０】  焦点が変更された後のレーダ画像には、虚像が生じる原因となった物体の位置に応じた位相の一次成分、すなわちアジマス方向に比例した成分が存在する。この一次成分を位相の微分によって除去し画素の移動平均を算出することにより、レーダ画像から雑音が除去される。この移動平均は、画素の振幅のみを移動平均した画像に比べて、複素平面上でばらついた信号の平均が０になりやすく、雑音の低減効果が高い。また、画素の移動平均を施すことで、レーダ画像に含まれる雑音の他に、信号同士の干渉、スペックルおよび信号処理の数値演算の誤差の影響が低減される。
【００５１】  次に、推定部１５は、移動平均部１４によって画素の移動平均が施されたレーダ画像に基づいて、虚像が結像する折り返し数を求めるための評価指標を算出する（ステップＳＴ４ｂ）。ここで、推定部１５は、リフォーカス部１０によって折り返し数の候補Ｍ，Ｎに対応した画像化の範囲に合った焦点に変更され、移動平均部１４によって移動平均が施されたレーダ画像を、折り返し数の候補Ｍ，Ｎごとに順次入力して、評価指標を求める。例えば、推定部１５は、入力したレーダ画像から振幅の大きいＬ個の画素を抽出して、抽出した画素の振幅の平均値を評価指標とする。なお、評価指標は、Ｌ個の画素のうちの振幅の最大値であってもよく、レーダ画像における全画素の振幅の平均値であってもよい。
【００５２】  推定部１５は、評価指標の値が最大となる折り返し数の候補Ｍ，Ｎを決定する。  図６は、評価指標と折り返し数との関係を示す図であり、折り返し数の候補Ｍ，Ｎの値を変えながら評価指標の算出を実施して得られた評価指標の分布を示している。評価指標の分布のイメージ図において、白い部分は評価指標の値が低く、黒い部分は評価指標の値が高いことを示している。
【００５３】  推定部１５は、折り返し数の候補Ｍ，Ｎに対応した画像化の範囲に焦点が合った画像に基づいて評価指標を算出すると、全ての折り返し数の候補について、評価指標の算出処理を行ったか否かを確認する（ステップＳＴ５ｂ）。全ての折り返し数の候補について評価指標の算出処理が行われていない場合（ステップＳＴ５ｂ；ＮＯ）、ステップＳＴ２ｂの処理に戻り、前述の処理を繰り返す。このようにして図６に示した評価指標の分布が順次作成される。一方、全ての折り返し数の候補について評価指標の算出処理を行った場合（ステップＳＴ５ｂ；ＹＥＳ）、推定部１５は、上記評価指標の分布のうち、評価指標の値が最大となる折り返し数の候補Ｍ，Ｎを、折り返し数の推定値Ｍ０，Ｎ０に決定する（ステップＳＴ６ｂ）。
【００５４】  図４の説明に戻る。  ステップＳＴ２ａにおいて、虚像判定部１１は、推定部１５から入力した折り返し数の推定値Ｍ０，Ｎ０であるときの評価指標の値が閾値Ｔ１を超えているか否かを判定する。  閾値Ｔ１は、評価指標に関する閾値のパラメータとして虚像判定部１１に事前に設定される。折り返し数の推定値Ｍ０，Ｎ０であるときの評価指標の値が閾値Ｔ１以下である場合（ステップＳＴ２ａ；ＮＯ）、対象のレーダ画像中に虚像がないため、図４の処理が終了される。このように評価指標が、別途パラメータとして定める閾値Ｔ１以下の場合に、反復が停止され、処理が終了する。
【００５５】  画素の振幅の値がＡに規格化された画像を、折り返し数の推定値Ｍ０，Ｎ０に対応した画像化の範囲に合った焦点に変更されると、この焦点に変更された画像における画素の振幅は、少なくともＡよりも大きな値となる。  また、焦点が変更された上記画像における画素のうち、振幅の大きいＬ個の画素を抽出し、抽出した画素の振幅の平均値を評価指標とする。この評価指標は、焦点が変更された上記画像に基づいて算出されるため、焦点が変更された上記画像上で結像した虚像がある場合、この画像から算出した評価指標は、Ａよりも大きな値となる。一方、虚像が抑圧されるか、焦点が変更された上記画像に虚像がない場合、評価指標は、Ａよりも小さい値となる。このように、実施の形態１に係るレーダ画像処理装置１では、評価指標に基づいて画像中の虚像の有無を判定することができる。
【００５６】  折り返し数の推定値Ｍ０，Ｎ０であるときの評価指標の値が閾値Ｔ１を超えた場合（ステップＳＴ２ａ；ＹＥＳ）、虚像判定部１１は、折り返し数の推定値Ｍ０，Ｎ０を、虚像が結像する焦点または虚像のぼけが緩和される焦点に関する情報であると特定する。  虚像判定部１１は、折り返し数の推定値Ｍ０，Ｎ０をリフォーカス部１０に出力する。リフォーカス部１０は、第１の格納部２から入力したレーダ画像の焦点を、折り返し数の推定値Ｍ０，Ｎ０に対応した画像化の範囲で結像する焦点に変更し、焦点変更後のレーダ画像を虚像判定部１１に出力する。
【００５７】  虚像判定部１１は、リフォーカス部１０から入力したレーダ画像上で結像している虚像が含まれる画素を判定する（ステップＳＴ３ａ）。  例えば、虚像判定部１１は、下記の４つの条件の全てを満たす画素が、虚像が含まれる画素であると判定する。なお、下記の４つの条件に基づく判定は、画素ごとに行われる。また、折り返し数の候補Ｍ，Ｎに対応した画像化の範囲で結像しているレーダ画像上の座標（ｘ，ｙ）に存在する画素をＳ（ｘ，ｙ，Ｎ，Ｍ）とする。
【００５８】  第１の条件は、座標（ｘ，ｙ）を固定して折り返し数の候補Ｍ，Ｎを変化させたときの画素の振幅の最大値が、折り返し数の推定値Ｍ０，Ｎ０であったときの画素の振幅と一致するという条件である。すなわち、第１の条件は、画素Ｓ（ｘ，ｙ，Ｎ，Ｍ）が下記式（６）を満たす条件である。ただし、ｍａｘＮ，Ｍ［  ］は、Ｍ，Ｎの値を変化させたときの［  ］の中の最大値を抽出することを示している。  ｍａｘＮ，Ｍ［｜Ｓ（ｘ，ｙ，Ｎ，Ｍ）｜］＝｜Ｓ（ｘ，ｙ，Ｎ０，Ｍ０）｜・・（６）
【００５９】  第２の条件は、折り返し数の推定値Ｍ０，Ｎ０であるときに画素の振幅がピークになるという条件である。すなわち、第２の条件は、画素が、下記式（７）、下記式（８）、下記式（９）および下記式（１０）の全てを満たす条件である。  ｍａｘＮ［｜Ｓ（ｘ，ｙ，Ｎ，Ｍ）｜−｜Ｓ（ｘ，ｙ，Ｎ−１，Ｍ）｜］  ＝｜Ｓ（ｘ，ｙ，Ｎ０，Ｍ０）｜−｜Ｓ（ｘ，ｙ，Ｎ０−１，Ｍ０）｜  ・・・（７）  ｍｉｎＮ［｜Ｓ（ｘ，ｙ，Ｎ，Ｍ）｜−｜Ｓ（ｘ，ｙ，Ｎ＋１，Ｍ）｜］  ＝｜Ｓ（ｘ，ｙ，Ｎ０，Ｍ０）｜−｜Ｓ（ｘ，ｙ，Ｎ０＋１，Ｍ０）｜  ・・・（８）  ｍａｘＭ［｜Ｓ（ｘ，ｙ，Ｎ，Ｍ）｜−｜Ｓ（ｘ，ｙ，Ｎ，Ｍ−１）｜］  ＝｜Ｓ（ｘ，ｙ，Ｎ０，Ｍ０）｜−｜Ｓ（ｘ，ｙ，Ｎ０，Ｍ０−１）｜  ・・・（９）  ｍｉｎＭ［｜Ｓ（ｘ，ｙ，Ｎ，Ｍ）｜−｜Ｓ（ｘ，ｙ，Ｎ，Ｍ＋１）｜］  ＝｜Ｓ（ｘ，ｙ，Ｎ０，Ｍ０）｜−｜Ｓ（ｘ，ｙ，Ｎ０，Ｍ０＋１）｜  ・・・（１０）
【００６０】  第３の条件は、折り返し数の推定値Ｍ０，Ｎ０であるときの画素の自己相関係数が閾値Ｔ２よりも低いという条件である。閾値Ｔ２は、自己相関係数に関する閾値のパラメータとして虚像判定部１１に事前に設定される。自己相関係数Ｃ（ｘ，ｙ，Ｎ０，Ｍ０）は、下記式（１１）から算出される。下記式（１１）において、シフト量δｘおよびシフト量δｙは、虚像判定部１１に事前に設定されるパラメータである。Ｗは自己相関係数を算出する領域であり、＊は複素共役を示している。下記式（１１）は、画素Ｓ（ｘ，ｙ，Ｎ，Ｍ）から自己相関係数の値を算出する式であるが、自己相関係数の値は、画素の振幅｜Ｓ（ｘ，ｙ，Ｎ，Ｍ）｜から算出してもよいし、移動平均部１４によって移動平均が施された画素値から算出してもよい。  Ｃ（ｘ，ｙ，Ｎ０，Ｍ０）  ＝｜Σ（ｘ，ｙ）∈ＷＳ（ｘ＋δｘ，ｙ＋δｙ，Ｎ０，Ｍ０）Ｓ＊（ｘ，ｙ，Ｎ０，Ｍ０）｜／｛Σ（ｘ，ｙ）∈Ｗ｜Ｓ（ｘ，ｙ，Ｎ０，Ｍ０）｜２Σ（ｘ，ｙ）∈Ｗ｜Ｓ（ｘ＋δｘ，ｙ＋δｙ，Ｎ０，Ｍ０）｜２｝１／２      ・・・（１１）
【００６１】  第４の条件は、画素の振幅が規格化され、折り返し数の候補Ｍ，Ｎに対応した画像化の範囲に合った焦点に変更され、画素の位相の移動平均が施された画像Ｓ’（ｘ，ｙ）上の画素の振幅が閾値Ｔ３よりも高いという条件である。閾値Ｔ３は、画像Ｓ’（ｘ，ｙ）上の画素の振幅に関する閾値のパラメータとして虚像判定部１１に事前に設定される。  なお、画像Ｓ’（ｘ，ｙ）は、推定部１５から虚像判定部１１に出力される。
【００６２】  画像Ｓ’（ｘ，ｙ）は、規格化部１３によって画素の振幅がＡに規格化され、リフォーカス部１０によって焦点が変更されて虚像の信号の電力が集中している。このため、画像Ｓ’（ｘ，ｙ）で結像した画素の振幅｜Ｓ’（ｘ，ｙ）｜は、少なくともＡより大きい値となる。第４の条件は、下記式（１２）が成り立つ条件である。  ｜Ｓ’（ｘ，ｙ）｜／Ａ≧Ｔ３      ・・・（１２）
【００６３】  虚像判定部１１は、第１から第４の条件の全てを満たすか否かを画素ごとに判定して、４つの条件を満たした画素を、結像した虚像が含まれる画素であると判定する。  また、虚像判定部１１は、折り返し数の推定値Ｍ０，Ｎ０に対応した画像化の範囲に焦点が合った画像に変更されたレーダ画像について、虚像の信号の電力もしくは画素の振幅が閾値よりも大きい画素を、結像した虚像が含まれる画素であると判定してもよい。  さらに、虚像判定部１１は、折り返し数の推定値Ｍ０，Ｎ０に対応した画像化の範囲に焦点が合った画像に変更されたレーダ画像に対して、一定誤警報確率（以下、ＣＦＡＲと記載する）処理を施してもよい。この場合、虚像判定部１１は、レーダ画像に対してＣＦＡＲ処理を施すことで、電力または振幅が、周囲の画素よりも大きくピークの頂点となる画素を検出し、検出した画素を、結像した虚像が含まれる画素であると判定する。
【００６４】  虚像判定部１１は、レーダ画像上に虚像が含まれる画素があるか否かを判定する（ステップＳＴ４ａ）。虚像判定部１１によって虚像が含まれる画素がないと判定された場合（ステップＳＴ４ａ；ＮＯ）、図４の処理が終了される。このように虚像を含む画素がない場合に、反復が停止され、処理が終了する。  一方、虚像が含まれる画素があると判定した場合（ステップＳＴ４ａ；ＹＥＳ）、虚像判定部１１は、虚像が含まれる画素の位置情報を虚像抑圧部１２に出力する。
【００６５】  虚像抑圧部１２は、虚像が含まれる画素の位置情報に基づいて虚像を抑圧する（ステップＳＴ５ａ）。虚像を抑圧する対象のレーダ画像は、リフォーカス部１０によって第１の格納部２から読み出され、折り返し数の推定値Ｍ０，Ｎ０に対応した画像化の範囲に焦点が変更されたレーダ画像である。また、虚像抑圧部１２は、虚像が含まれると判定された画素の値を０に置き換えて虚像を抑圧する。なお、虚像抑圧部１２は、虚像が含まれると判定された画素の値に１以下の実数を乗じてもよく、虚像が含まれると判定された画素のそれぞれの値を、周囲の画素の値の平均値に置き換えてもよい。虚像抑圧部１２によって虚像が抑圧された画像は、リフォーカス部１０に出力される。
【００６６】  リフォーカス部１０は、虚像抑圧部１２によって虚像が抑圧されたレーダ画像の焦点を本来の画像化の範囲に合った焦点に変更する（ステップＳＴ６ａ）。  なお、虚像判定部１１による判定処理の回数は、虚像抑圧部１２による虚像の抑圧処理の反復回数に相当する。  反復判定部１６は、虚像判定部１１から判定回数を入力して、入力した判定回数である反復回数が上限値Ｔ４に達したか否かを判定する（ステップＳＴ７ａ）。
【００６７】  反復回数が上限値Ｔ４に達した場合（ステップＳＴ７ａ；ＹＥＳ）、図４の処理が終了される。このように処理の反復回数が、別途パラメータとして定める反復回数の上限値に到達した場合に、反復が停止され処理が終了する。このとき、反復判定部１６は、反復回数が上限値Ｔ４に達したことをリフォーカス部１０に通知する。リフォーカス部１０は、反復判定部１６から上記通知を受けると、虚像抑圧後のレーダ画像の焦点を本来の画像化の範囲に戻して、第２の格納部３に格納する。
【００６８】  反復回数が上限値Ｔ４に達していない場合（ステップＳＴ７ａ；ＮＯ）、反復判定部１６は、反復回数が上限値Ｔ４に達していないことをリフォーカス部１０に通知する。  リフォーカス部１０は、反復判定部１６から上記通知を受けると、虚像が抑圧されて、本来の画像化の範囲に焦点が合ったレーダ画像を第１の格納部２に格納する。  これにより、第１の格納部２に格納された上記画像に対して、ステップＳＴ１ａからの一連の処理が繰り返される。
【００６９】  なお、反復判定部１６が虚像の抑圧処理の反復回数を判定することを説明したが、反復判定部１６が、虚像判定部１１による判定処理の回数を判定してもよい。また、反復判定部１６が、虚像抑圧後のレーダ画像を第１の格納部２または第２の格納部３に格納してもよい。例えば、反復回数が上限値Ｔ４に達していない場合、反復判定部１６が、リフォーカス部１０からレーダ画像を入力し、入力したレーダ画像を第１の格納部２に格納する。また、反復回数が上限値Ｔ４に達した場合、反復判定部１６が、リフォーカス部１０から虚像抑圧後のレーダ画像を入力し、入力したレーダ画像を第２の格納部３に格納する。
【００７０】  図７は、実施の形態１における虚像判定処理を示すフローチャートであり、図４のステップＳＴ３ａの処理の詳細を示している。図７の処理が実行される前に、ステップＳＴ１ａにおいて、推定部１５が、折り返し数の候補Ｍ，Ｎごとに対応した画像化の範囲に焦点が合った画像から評価指標を算出して評価指標の分布を作成し、作成した評価指標の分布から折り返し数の推定値Ｍ０，Ｎ０を算出している。また、ステップＳＴ２ａにおいて、折り返し数の推定値Ｍ０，Ｎ０であるときの評価指標の値が閾値Ｔ１を超えたという判定結果が得られている。
【００７１】  虚像判定部１１は、折り返し数の推定値Ｍ０，Ｎ０に対応した画像化の範囲に焦点が合ったレーダ画像において、虚像が含まれる画素を判定する（ステップＳＴ１ｃ）。  例えば、虚像判定部１１は、前述した第１から第４の条件の全てを満たすか否かを画素ごとに判定し、４つの条件を満たした画素を、結像した虚像が含まれる画素であると判定する。
【００７２】  次に、虚像判定部１１は、虚像が含まれると判定した画素から、画素の雑音を除去する（ステップＳＴ２ｃ）。画素の雑音には、反射波に含まれる雑音、または、画素値の数値計算で生じた誤差に起因する雑音がある。虚像判定部１１は、虚像が含まれると判定した画素の分布に基づいて画素の雑音を特定し、特定した画素について虚像が含まれないものと判定を変更する。例えば、虚像判定部１１は、虚像が含まれると判定した画素のうち、画像上で１画素だけ孤立して分布しており、虚像が含まれると判定された画素が隣接位置にない場合、この画素を雑音とみなす。孤立した画素を決定する処理には、モルフォロジーの膨張と収縮の操作を利用した処理またはメディアンフィルタを使用した処理があり、虚像判定部１１は、孤立した画素が虚像に含まれないように判定を変更する。
【００７３】  以上のように、実施の形態１に係るレーダ画像処理装置１が、レーダ画像の焦点を変更したレーダ画像上で、虚像が含まれる画素の判定と、虚像が含まれると判定した画素の値の変更とを行う。これによって、レーダ画像処理装置１は、レーダ画像における虚像のみを抑圧することができる。特に、レーダ画像処理装置１は、本来の画像化の範囲に焦点が合ったレーダ画像上で、信号の電力が小さい虚像であっても検出が可能であり、検出した虚像のみを抑圧することができる。虚像の信号のみが処理対象となることから、レーダ画像に真の像（観測対象の物体の像）が含まれる必要がなく、虚像抑圧部１２は、真の像がない画像に含まれる虚像を抑圧することができる。
【００７４】  実施の形態１に係るレーダ画像処理装置１において、リフォーカス部１０が、レーダ画像を時間領域からドップラー周波数領域の信号に変換し、ドップラー周波数領域の信号の位相の補正量がドップラー周波数方向に比例する成分を持たないように、レーダ画像の焦点を変更する。これにより、リフォーカス部１０は、折り返し数の候補Ｍ，Ｎに対応した画像化の範囲で結像するレーダ画像を得ることができる。
【００７５】  実施の形態１に係るレーダ画像処理装置１は、レーダ画像における画素の振幅を規格化する規格化部１３を備える。規格化部１３が画素の振幅を規格化するので、レーダ画像上の画素の振幅分布に影響されずに、焦点を変更したときの虚像の結像度合いを確認することができる。
【００７６】  実施の形態１に係るレーダ画像処理装置１は、レーダ画像に含まれる画素のそれぞれで一定の距離だけ離れた画素の値を減算し、位相を減算した画素の移動平均を施した画像を生成する移動平均部１４を備える。移動平均部１４が、画素を移動平均することで、レーダ画像に含まれる雑音を低減でき、信号同士の干渉、スペックルおよび信号処理の数値演算の誤差の影響を低減できる。  また、推定部１５は、移動平均部１４によって生成された画像に基づいて、虚像のぼけが緩和される折り返し数を推定する。リフォーカス部１０は、推定部１５によって推定された折り返し数を用いて焦点を変更する。虚像判定部１１は、リフォーカス部１０によって焦点が変更されたレーダ画像から虚像が含まれる画素を判定する。推定部１５が虚像判定部１１による判定の前に折り返し数を推定するので、虚像判定部１１は、折り返し数が確定された状態で虚像が含まれる画素を確実に判定することができる。さらに、推定部１５は、複数の折り返し数の候補に対応した画像化の範囲に焦点が合った画像に基づいて複数の評価指標を算出し、複数の評価指標から折り返し数の推定値を求める。虚像判定部１１は、折り返し数の推定値に対応した画像化の範囲に焦点が合った画像から、虚像が含まれる画素を判定する。これにより、虚像抑圧部１２は、虚像となる物体が広範囲に存在して複数の折り返し数の候補が得られる場合であっても、虚像を抑圧することができる。
【００７７】  実施の形態１に係るレーダ画像処理装置１において、リフォーカス部１０が、レーダ画像を複数の焦点に変更する。虚像判定部１１が、複数の焦点のそれぞれに変更されたレーダ画像における画素の値の変化に基づいて、虚像が含まれる画素を判定する。  例えば、リフォーカス部１０が、複数の折り返し数の候補Ｍ，Ｎごとに対応した画像化の範囲に焦点が合った画像を生成する。虚像判定部１１が、これらの画像における画素の値の変化を評価指標として、虚像を結像させた画像から虚像が含まれる画素を判定する。これにより、虚像判定部１１が、虚像が含まれる画素を的確に判定することができる。
【００７８】  実施の形態１に係るレーダ画像処理装置１において、リフォーカス部１０が、レーダ画像を複数の焦点に変更する。虚像判定部１１が、複数の焦点のそれぞれに変更されたレーダ画像における画素の値の変化に基づいて虚像のぼけが緩和される焦点に関する情報を特定し、特定した焦点に関する情報に基づいて虚像のぼけが緩和されたレーダ画像から虚像が含まれる画素を判定する。  例えば、リフォーカス部１０が、複数の折り返し数の候補Ｍ，Ｎごとに対応した画像化の範囲に焦点が合った画像を生成する。虚像判定部１１が、これらの画像に基づいて決定された折り返し数の推定値Ｍ０，Ｎ０を、虚像のぼけが緩和される焦点に関する情報として特定する。虚像判定部１１は、特定した焦点に関する情報に基づいて虚像のぼけが緩和されたレーダ画像から虚像が含まれる画素を判定する。これにより、虚像判定部１１は、虚像が含まれる画素を的確に判定することができる。
【００７９】  実施の形態１に係るレーダ画像処理装置１において、虚像判定部１１が、リフォーカス部１０によって焦点が変更されたレーダ画像のうち、レーダ画像の自己相関に基づいて虚像が含まれるレーダ画像を判定する。これにより、虚像判定部１１は、虚像が含まれる画素を的確に判定することができる。
【００８０】  実施の形態１に係るレーダ画像処理装置１は、リフォーカス処理、虚像判定処理および虚像抑圧処理の反復の終了を判定する反復判定部１６を備える。これにより、虚像抑圧部１２は、反復回数の上限値Ｔ４に達するまで虚像を抑圧することができる。
【００８１】  実施の形態１に係るレーダ画像処理装置１において、虚像判定部１１が、虚像が含まれると判定した画素の分布に基づいて画素の雑音を特定し、特定した画素については虚像が含まれないものと判定を変更する。これにより、虚像が含まれると判定された画素から、雑音を除去することができる。
【００８２】実施の形態２．  実施の形態２に係るレーダ画像処理装置は、処理結果の確認と修正が可能である。  図８は、この発明の実施の形態２に係るレーダ画像処理装置１Ａの構成を示すブロック図である。図８において、図１に記載したものと同一の構成要素には同一の符号を付して説明を省略する。レーダ画像処理装置１Ａは、第１の格納部２に格納されたレーダ画像における虚像を抑圧する処理を行い、虚像が抑圧されたレーダ画像を第２の格納部３に格納する。図８に示す例では、レーダ画像処理装置１Ａは、リフォーカス部１０、虚像判定部１１、虚像抑圧部１２、規格化部１３、移動平均部１４、推定部１５、反復判定部１６、画像表示処理部１７、第１の修正部１８および第２の修正部１９を備える。
【００８３】  画像表示処理部１７は、移動平均部１４によって生成された画像を、図示を省略した表示装置に表示させる。レーダ画像処理装置１Ａの使用者は、この表示装置に表示された画像を視認することができる。
【００８４】  第１の修正部１８は、虚像判定部１１によって特定された焦点に関する情報の修正操作を受け付け、受け付けた修正操作に基づいて虚像のぼけが緩和される焦点に関する情報を修正する。虚像判定部１１は、第１の修正部１８によって修正された焦点に関する情報に基づいて虚像のぼけが緩和されたレーダ画像から虚像が含まれる画素を判定する。
【００８５】  第２の修正部１９は、虚像が含まれる画素の判定結果に対する修正操作を受け付けて、受け付けた修正操作に基づいて、虚像が含まれる画素の判定結果を修正する。虚像抑圧部１２は、第２の修正部１９によって修正された判定結果で虚像が含まれると判定された画素の値を変更して虚像を抑圧する。
【００８６】  次に動作について説明する。  図９は、実施の形態２に係るレーダ画像処理方法の詳細を示すフローチャートである。図９のステップＳＴ１ｄは、図４のステップＳＴ１ａと同じ処理であり、図９のステップＳＴ３ｄおよびステップＳＴ４ｄは、図４のステップＳＴ２ａおよびステップＳＴ３ａと同じ処理である。図９のステップＳＴ６ｄからステップＳＴ９ｄまでは、図４のステップＳＴ４ａからステップＳＴ７ａまでと同じ処理である。これらの処理の説明は省略する。
【００８７】  ステップＳＴ２ｄにおいて、第１の修正部１８は、推定部１５から入力した折り返し数の推定値Ｍ０，Ｎ０を修正する。例えば、第１の修正部１８は、画像表示処理部１７に指示して、折り返し数の推定値Ｍ０，Ｎ０、折り返し数の推定値Ｍ０，Ｎ０であるときの評価指標、および折り返し数の推定値Ｍ０，Ｎ０に対応する焦点に合ったレーダ画像を、上記表示装置に表示させる。そして、第１の修正部１８は、上記表示装置に表示させた情報について、図示を省略した入力装置を用いた修正操作を受け付けて、受け付けた修正操作に基づいて上記表示装置に表示させた情報を修正する。このように修正された推定値Ｍ０，Ｎ０は、第１の修正部１８から虚像判定部１１に出力される。
【００８８】  ステップＳＴ５ｄにおいて、第２の修正部１９は、虚像判定部１１による虚像が含まれる画素の判定結果を修正する。例えば、第２の修正部１９は、画像表示処理部１７に指示して、折り返し数の推定値Ｍ０，Ｎ０および虚像が含まれると判定された画素の位置情報を上記表示装置に表示させる。そして、第２の修正部１９は、上記表示装置に表示させた情報について、図示を省略した入力装置を用いた修正操作を受け付けて、受け付けた修正操作に基づいて上記表示装置に表示させた情報を修正する。このように修正された判定結果は、第２の修正部１９から虚像抑圧部１２に出力される。虚像抑圧部１２は、第２の修正部１９によって修正された判定結果で虚像が含まれると判定された画素の値を変更して虚像を抑圧する。
【００８９】  以上のように、実施の形態２に係るレーダ画像処理装置１Ａにおいて、虚像判定部１１が、第１の修正部１８によって修正された焦点に関する情報に基づいて虚像のぼけが緩和されたレーダ画像から虚像が含まれる画素を判定する。これにより、レーダ画像処理装置１Ａが、虚像のぼけが緩和される焦点に関する情報を誤って生成しても、第１の修正部１８が、誤った情報を正しく修正することができる。
【００９０】  実施の形態２に係るレーダ画像処理装置１Ａにおいて、虚像抑圧部１２が、第２の修正部１９によって修正された判定結果で虚像が含まれると判定された画素の値を変更して虚像を抑圧する。これにより、レーダ画像処理装置１Ａが、虚像が含まれる画素を誤判定しても、第２の修正部１９が、誤った判定結果を正しく修正することができる。
【００９１】実施の形態３．  レーダ画像処理装置１における、リフォーカス部１０、虚像判定部１１、虚像抑圧部１２、規格化部１３、移動平均部１４、推定部１５および反復判定部１６のそれぞれの機能は、処理回路により実現される。すなわち、レーダ画像処理装置１は、図４に示したステップＳＴ１ａからステップＳＴ７ａまでの処理を実行するための処理回路を備える。同様に、レーダ画像処理装置１Ａにおける、リフォーカス部１０、虚像判定部１１、虚像抑圧部１２、規格化部１３、移動平均部１４、推定部１５、反復判定部１６、画像表示処理部１７、第１の修正部１８および第２の修正部１９のそれぞれの機能は、処理回路により実現される。これらの処理回路は、専用のハードウェアであってもよいが、メモリに記憶されたプログラムを実行するＣＰＵ（Ｃｅｎｔｒａｌ  Ｐｒｏｃｅｓｓｉｎｇ  Ｕｎｉｔ）であってもよい。
【００９２】  図１０Ａは、レーダ画像処理装置１またはレーダ画像処理装置１Ａの機能を実現するハードウェア構成を示すブロック図である。図１０Ｂは、レーダ画像処理装置１またはレーダ画像処理装置１Ａの機能を実現するソフトウェアを実行するハードウェア構成を示すブロック図である。図１０Ａおよび図１０Ｂに示す記憶装置１００は、第１の格納部２および第２の格納部３として機能する。なお、記憶装置１００は、レーダ画像処理装置１またはレーダ画像処理装置１Ａが備える構成要素であってもよいが、レーダ画像処理装置とは独立した装置が備えてもよい。例えば、記憶装置１００は、レーダ画像処理装置１またはレーダ画像処理装置１Ａから通信アクセスが可能な通信ネットワーク上の装置であってもよい。
【００９３】  表示装置１０１は、画像表示処理部１７の制御に従って、画像表示処理部１７から入力した画像情報を表示する。入力装置１０２は、使用者からの操作入力を受け付ける装置であり、タッチパネル、ハードウェアキーおよびマウスなどにより実現される。第１の修正部１８は、入力装置１０２を用いた修正操作に基づいて、虚像のぼけが緩和される焦点に関する情報を修正する。また、第２の修正部１９は、入力装置１０２を用いた修正操作に基づいて、虚像が含まれる画素の判定結果を修正する。
【００９４】  上記処理回路が図１０Ａに示す専用のハードウェアの処理回路１０３である場合、処理回路１０３は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはこれらを組み合わせたものが該当する。  レーダ画像処理装置１における、リフォーカス部１０、虚像判定部１１、虚像抑圧部１２、規格化部１３、移動平均部１４、推定部１５および反復判定部１６のそれぞれの機能を別々の処理回路で実現してもよいし、これらの機能をまとめて１つの処理回路で実現してもよい。レーダ画像処理装置１Ａにおける、リフォーカス部１０、虚像判定部１１、虚像抑圧部１２、規格化部１３、移動平均部１４、推定部１５、反復判定部１６、画像表示処理部１７、第１の修正部１８および第２の修正部１９のそれぞれの機能を別々の処理回路で実現してもよいし、これらの機能をまとめて１つの処理回路で実現してもよい。
【００９５】  上記処理回路が図１０Ｂに示すプロセッサ１０４である場合、レーダ画像処理装置１における、リフォーカス部１０、虚像判定部１１、虚像抑圧部１２、規格化部１３、移動平均部１４、推定部１５および反復判定部１６のそれぞれの機能は、ソフトウェア、ファームウェアまたはソフトウェアとファームウェアとの組み合わせによって実現される。  また、レーダ画像処理装置１Ａにおける、リフォーカス部１０、虚像判定部１１、虚像抑圧部１２、規格化部１３、移動平均部１４、推定部１５、反復判定部１６、画像表示処理部１７、第１の修正部１８および第２の修正部１９のそれぞれの機能についても、ソフトウェア、ファームウェアまたはソフトウェアとファームウェアとの組み合わせによって実現される。なお、ソフトウェアまたはファームウェアは、プログラムとして記述されてメモリ１０５に記憶される。
【００９６】  プロセッサ１０４は、メモリ１０５に記憶されたプログラムを読み出して実行することにより、レーダ画像処理装置１における、リフォーカス部１０、虚像判定部１１、虚像抑圧部１２、規格化部１３、移動平均部１４、推定部１５および反復判定部１６のそれぞれの機能を実現する。すなわち、レーダ画像処理装置１は、プロセッサ１０４によって実行されるときに、図４に示したステップＳＴ１ａからステップＳＴ７ａまでの処理が結果的に実行されるプログラムを記憶するためのメモリ１０５を備える。  これらのプログラムは、リフォーカス部１０、虚像判定部１１、虚像抑圧部１２、規格化部１３、移動平均部１４、推定部１５および反復判定部１６の手順または方法をコンピュータに実行させる。メモリ１０５は、コンピュータを、リフォーカス部１０、虚像判定部１１、虚像抑圧部１２、規格化部１３、移動平均部１４、推定部１５および反復判定部１６として機能させるためのプログラムが記憶されたコンピュータ可読記憶媒体であってもよい。これは、レーダ画像処理装置１Ａにおいても同様である。
【００９７】  メモリ１０５には、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ−ＥＰＲＯＭ）などの不揮発性または揮発性の半導体メモリ、磁気ディスク、フレキシブルディスク、光ディスク、コンパクトディスク、ミニディスク、ＤＶＤなどが該当する。
【００９８】  リフォーカス部１０、虚像判定部１１、虚像抑圧部１２、規格化部１３、移動平均部１４、推定部１５および反復判定部１６のそれぞれの機能について一部を専用のハードウェアで実現し、一部をソフトウェアまたはファームウェアで実現してもよい。  例えば、リフォーカス部１０、虚像判定部１１および虚像抑圧部１２は、専用のハードウェアとしての処理回路で機能を実現する。規格化部１３、移動平均部１４、推定部１５および反復判定部１６については、プロセッサ１０４がメモリ１０５に記憶されたプログラムを読み出して実行することにより機能を実現してもよい。  これは、レーダ画像処理装置１Ａにおける、リフォーカス部１０、虚像判定部１１、虚像抑圧部１２、規格化部１３、移動平均部１４、推定部１５、反復判定部１６、画像表示処理部１７、第１の修正部１８および第２の修正部１９においても同様である。  このように、処理回路は、ハードウェア、ソフトウェア、ファームウェアまたはこれらの組み合わせにより上記機能のそれぞれを実現することができる。
【００９９】  なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【０１００】  この発明に係るレーダ画像処理装置は、レーダ画像における虚像のみを抑圧することができるので、ＳＡＲに利用可能である。
【符号の説明】
【０１０１】  １，１Ａ  レーダ画像処理装置、２  第１の格納部、３  第２の格納部、１０  リフォーカス部、１１  虚像判定部、１２  虚像抑圧部、１３  規格化部、１４  移動平均部、１５  推定部、１６  反復判定部、１７  画像表示処理部、１８  第１の修正部、１９  第２の修正部、２０Ａ，２０Ｂ  レーダ画像、３０ａ，３０ｂ  像、４０  虚像、１００  記憶装置、１０１  表示装置、１０２  入力装置、１０３  処理回路、１０４  プロセッサ、１０５  メモリ。
【図１】
2019176016.tif 000003
【図２】
2019176016.tif 000004
【図３】
2019176016.tif 000005
【図４】
2019176016.tif 000006
【図５】
2019176016.tif 000007
【図６】
2019176016.tif 000008
【図７】
2019176016.tif 000009
【図８】
2019176016.tif 000010
【図９】
2019176016.tif 000011
【図１０】
2019176016.tif 000012
【手続補正書】
【提出日】平成30年7月5日(2018.7.5)
【手続補正１】
【補正対象書類名】明細書
【補正対象項目名】００１１
【補正方法】変更
【補正の内容】
【００１１】
この発明に係るレーダ画像処理装置は、リフォーカス部、虚像判定部および虚像抑圧部を備えて構成される。リフォーカス部は、レーダ画像を入力し、レーダ画像の焦点を変更する。虚像判定部は、リフォーカス部によって焦点が変更されたレーダ画像から、虚像が含まれる画素を判定する。虚像抑圧部は、リフォーカス部によって焦点が変更されたレーダ画像上で虚像判定部によって虚像が含まれると判定された画素の値を変更する。リフォーカス部は、レーダ画像を時間領域からドップラー周波数領域の信号に変換し、ドップラー周波数領域の信号の位相の補正量がドップラー周波数方向に比例する成分を持たないように、レーダ画像の焦点を変更する。
【手続補正２】
【補正対象書類名】特許請求の範囲
【補正対象項目名】全文
【補正方法】変更
【補正の内容】
【特許請求の範囲】
【請求項１】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記リフォーカス部は、レーダ画像を時間領域からドップラー周波数領域の信号に変換し、ドップラー周波数領域の信号の位相の補正量がドップラー周波数方向に比例する成分を持たないように、レーダ画像の焦点を変更すること
を特徴とするレーダ画像処理装置。
【請求項２】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
レーダ画像における画素の振幅を規格化する規格化部を備えたこと
を特徴とするレーダ画像処理装置。
【請求項３】
前記リフォーカス部は、レーダ画像を複数の焦点に変更し、
前記虚像判定部は、複数の焦点のそれぞれに変更されたレーダ画像における画素の値の変化に基づいて、虚像が含まれる画素を判定すること
を特徴とする請求項１記載のレーダ画像処理装置。
【請求項４】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記リフォーカス部は、複数の焦点のレーダ画像に変更し、
前記虚像判定部は、複数の焦点のそれぞれに変更されたレーダ画像における画素の値の変化に基づいて虚像のぼけが緩和される焦点に関する情報を特定し、特定した焦点に関する情報に基づいて虚像が含まれる画素を判定すること
を特徴とするレーダ画像処理装置。
【請求項５】
前記虚像判定部は、前記リフォーカス部によって焦点が変更されたレーダ画像のうち、レーダ画像の自己相関に基づいて虚像が含まれるレーダ画像を判定すること
を特徴とする請求項４記載のレーダ画像処理装置。
【請求項６】
リフォーカス処理、虚像判定処理および虚像抑圧処理の反復の終了を判定する反復判定部を備えたこと
を特徴とする請求項４記載のレーダ画像処理装置。
【請求項７】
前記虚像判定部によって特定された焦点に関する情報の修正操作を受け付け、受け付けた修正操作に基づいて虚像のぼけが緩和される焦点に関する情報を修正する第１の修正部を備え、
前記虚像判定部は、前記第１の修正部によって修正された焦点に関する情報に基づいて虚像のぼけが緩和されたレーダ画像から虚像が含まれる画素を判定すること
を特徴とする請求項４記載のレーダ画像処理装置。
【請求項８】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記虚像判定部による虚像が含まれる画素の判定結果の修正操作を受け付け、受け付けた修正操作に基づいて、虚像が含まれる画素の判定結果を修正する第２の修正部を備え、
前記虚像抑圧部は、前記第２の修正部によって修正された判定結果で虚像が含まれると判定された画素の値を変更して虚像を抑圧すること
を特徴とするレーダ画像処理装置。
【請求項９】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記虚像判定部は、虚像が含まれると判定した画素の分布に基づいて画素の雑音を特定し、特定した画素については虚像が含まれるものと判定を変更すること
を特徴とするレーダ画像処理装置。
【請求項１０】
リフォーカス部が、レーダ画像を入力して、レーダ画像の焦点を変更するステップと、
虚像判定部が、前記リフォーカス部によって焦点が変更されたレーダ画像から、虚像が含まれる画素を判定するステップと、
虚像抑圧部が、前記リフォーカス部によって焦点が変更されたレーダ画像上で前記虚像判定部によって虚像が含まれると判定された画素の値を変更するステップと、
前記リフォーカス部が、レーダ画像を時間領域からドップラー周波数領域の信号に変換し、ドップラー周波数領域の信号の位相の補正量がドップラー周波数方向に比例する成分を持たないように、レーダ画像の焦点を変更するステップと、
を備えたことを特徴とするレーダ画像処理方法。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記リフォーカス部は、レーダ画像を時間領域からドップラー周波数領域の信号に変換し、ドップラー周波数領域の信号の位相の補正量がドップラー周波数方向に比例する成分を持たないように、レーダ画像の焦点を変更すること
を特徴とするレーダ画像処理装置。
【請求項２】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
レーダ画像における画素の振幅を規格化する規格化部を備え、
前記虚像判定部は、前記規格化部によって画素の振幅が規格化され、且つ、前記リフォーカス部によって焦点が変更されたレーダ画像から、虚像が含まれる画素を判定すること
を特徴とするレーダ画像処理装置。
【請求項３】
前記リフォーカス部は、レーダ画像を複数の焦点に変更し、
前記虚像判定部は、複数の焦点のそれぞれに変更されたレーダ画像における画素の値の変化に基づいて、虚像が含まれる画素を判定すること
を特徴とする請求項１記載のレーダ画像処理装置。
【請求項４】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記リフォーカス部は、複数の焦点のレーダ画像に変更し、
前記虚像判定部は、複数の焦点のそれぞれに変更されたレーダ画像における画素の値の変化に基づいて虚像のぼけが緩和される焦点に関する情報を特定し、特定した焦点に関する情報に基づいて虚像が含まれる画素を判定すること
を特徴とするレーダ画像処理装置。
【請求項５】
前記虚像判定部は、前記リフォーカス部によって焦点が変更されたレーダ画像のうち、レーダ画像の自己相関に基づいて虚像が含まれるレーダ画像を判定すること
を特徴とする請求項４記載のレーダ画像処理装置。
【請求項６】
リフォーカス処理、虚像判定処理および虚像抑圧処理の反復の終了を判定する反復判定部を備えたこと
を特徴とする請求項４記載のレーダ画像処理装置。
【請求項７】
前記虚像判定部によって特定された焦点に関する情報の修正操作を受け付け、受け付けた修正操作に基づいて虚像のぼけが緩和される焦点に関する情報を修正する第１の修正部を備え、
前記虚像判定部は、前記第１の修正部によって修正された焦点に関する情報に基づいて虚像のぼけが緩和されたレーダ画像から虚像が含まれる画素を判定すること
を特徴とする請求項４記載のレーダ画像処理装置。
【請求項８】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記虚像判定部による虚像が含まれる画素の判定結果の修正操作を受け付け、受け付けた修正操作に基づいて、虚像が含まれる画素の判定結果を修正する第２の修正部を備え、
前記虚像抑圧部は、前記第２の修正部によって修正された判定結果で虚像が含まれると判定された画素の値を変更して虚像を抑圧すること
を特徴とするレーダ画像処理装置。
【請求項９】
レーダ画像を入力して、レーダ画像の焦点を変更するリフォーカス部と、
前記リフォーカス部によって焦点が変更されたレーダ画像から、虚像が含まれる画素を判定する虚像判定部と、
前記リフォーカス部によって焦点が変更されたレーダ画像上で前記虚像判定部によって虚像が含まれると判定された画素の値を変更する虚像抑圧部とを備え、
前記虚像判定部は、虚像が含まれると判定した画素の分布に基づいて画素の雑音を特定し、特定した画素については虚像が含まれるものと判定を変更すること
を特徴とするレーダ画像処理装置。
【請求項１０】
リフォーカス部が、レーダ画像を入力して、レーダ画像の焦点を変更するステップと、
虚像判定部が、前記リフォーカス部によって焦点が変更されたレーダ画像から、虚像が含まれる画素を判定するステップと、
虚像抑圧部が、前記リフォーカス部によって焦点が変更されたレーダ画像上で前記虚像判定部によって虚像が含まれると判定された画素の値を変更するステップと、
前記リフォーカス部が、レーダ画像を時間領域からドップラー周波数領域の信号に変換し、ドップラー周波数領域の信号の位相の補正量がドップラー周波数方向に比例する成分を持たないように、レーダ画像の焦点を変更するステップと、
を備えたことを特徴とするレーダ画像処理方法。
【国際調査報告】
2019176016.tif 000013
2019176016.tif 000014
2019176016.tif 000015
2019176016.tif 000016